(57)【特許請求の範囲】
【請求項１】
伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の適所に、前記伝票基材から前記剥離紙面に達するスリットで保証ラベル部を分離可能に区画形成し、前記スリットの外側に対応位置して切り込みを前記伝票基材から前記剥離紙面に達するよう設けて、前記切り込みと前記スリットに挟まれた部分でラベル周辺剥離部を形成し、
前記切り込みに沿って前記伝票基材を捲り上げると、前記保証ラベル部を前記剥離紙の一部とともに分離可能なように、前記剥離紙には、前記保証ラベル部を含むように、前記保証ラベル部と前記切り込みとの間に位置させて、前記剥離紙から少なくとも前記補助基材面に達するスリットを設けてラベル保護部を形成したことを特徴とする配送伝票。
【請求項２】
伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の前記伝票基材の適所に、スリットで保証ラベル部を分離可能に区画形成し、前記スリットの外側に対応位置して切り込みを前記伝票基材から前記剥離紙面に達するよう設けて、前記切り込みと前記スリットに挟まれた部分でラベル周辺剥離部を形成し、
前記切り込みに沿って前記伝票基材を捲り上げると、前記保証ラベル部を前記剥離紙の一部とともに分離可能なように、前記剥離紙には、前記保証ラベル部を含むように、前記保証ラベル部と前記切り込みとの間に位置させて、前記剥離紙から少なくとも前記補助基材面に達するスリットを設けてラベル保護部を形成したことを特徴とする配送伝票。
【請求項３】
伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の前記伝票基材の適所に保証ラベル部を分離可能に区画形成し、前記保証ラベル部の外側に対応位置してラベル周辺剥離部を形成し、
前記伝票基材を捲り上げると、前記保証ラベル部を前記剥離紙の一部とともに分離可能なように、前記剥離紙には、前記保証ラベル部を含むように、前記ラベル周辺剥離部に位置させて、前記剥離紙から少なくとも前記補助基材面に達するスリットを設けてラベル保護部を形成したことを特徴とする配送伝票。
【請求項４】
前記伝票基材と前記補助基材との重ね合わせ面に接着力弱化部分を設けて前記ラベル周辺剥離部の剥離開始端としていることを特徴とする請求項１〜３のいずれかに記載の配送伝票。
【発明の詳細な説明】
【０００１】
【発明の属する技術分野】
本発明は、伝票基材の裏面に補助基材を剥離可能に接着し、前記補助基材の裏面に粘着剤を塗布するとともに剥離紙で被覆してなる貼付票と受領証兼配達票を有する配送伝票に関し、特に、保証書を収納した梱包材に貼付して使用するのに適した配送伝票に関する。
【０００２】
【従来の技術】
従来の保証書を収納した梱包材に貼付して使用する配送伝票は、保証書との関連はなんら考慮されておらず、配送作業に必要な貼付票などの伝票を備えているに過ぎない。
【０００３】
【発明が解決しようとする課題】
したがって、従来においては、梱包材から保証書を取り出して、販売店名、販売日などの必要事項を記入したうえ、再度、保証書を梱包材内に収納している。このため、保証書の取り扱いが煩雑で、作業効率が劣るという不都合があった。本発明は、この不都合を解消した配送伝票を提供することを目的とする。
【０００４】
【課題を解決するための手段】
この目的を達成するために、請求項１に記載の本発明の配送伝票は、伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の適所に、前記伝票基材から前記剥離紙面に達するスリットで保証ラベル部を分離可能に区画形成し、前記スリットの外側に対応位置して切り込みを前記伝票基材から前記剥離紙面に達するよう設けて、前記切り込みと前記スリットに挟まれた部分でラベル周辺剥離部を形成し、
前記切り込みに沿って前記伝票基材を捲り上げると、前記保証ラベル部を前記剥離紙の一部とともに分離可能なように、前記剥離紙には、前記保証ラベル部を含むように、前記保証ラベル部と前記切り込みとの間に位置させて、前記剥離紙から少なくとも前記補助基材面に達するスリットを設けてラベル保護部を形成したものである。
請求項２に記載の本発明の配送伝票は、伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の前記伝票基材の適所に、スリットで保証ラベル部を分離可能に区画形成し、前記スリットの外側に対応位置して切り込みを前記伝票基材から前記剥離紙面に達するよう設けて、前記切り込みと前記スリットに挟まれた部分でラベル周辺剥離部を形成し、
前記切り込みに沿って前記伝票基材を捲り上げると、前記保証ラベル部を前記剥離紙の一部とともに分離可能なように、前記剥離紙には、前記保証ラベル部を含むように、前記保証ラベル部と前記切り込みとの間に位置させて、前記剥離紙から少なくとも前記補助基材面に達するスリットを設けてラベル保護部を形成したものである。
請求項３に記載の本発明の配送伝票は、伝票基材の裏面に補助基材を剥離可能に接着し、前記補助基材の裏面に粘着剤を塗布するとともに剥離紙で被覆してなる貼付票と受領証兼配達票を有する配送伝票において、
配送伝票の前記伝票基材の適所に保証ラベル部を分離可能に区画形成し、前記保証ラベル部の外側に対応位置してラベル周辺剥離部を形成し、
前記伝票基材を捲り上げると、前記保証ラベル部を前記剥離紙の一部とともに分離可能なように、前記剥離紙には、前記保証ラベル部を含むように、前記ラベル周辺剥離部に位置させて、前記剥離紙から少なくとも前記補助基材面に達するスリットを設けてラベル保護部を形成したものである。
請求項４に記載の本発明の配送伝票は、前記伝票基材と前記補助基材との重ね合わせ面に接着力弱化部分を設けて前記ラベル周辺剥離部の剥離開始端としている。
【０００５】
【発明の実施の形態】
以下、添付図面に基づいて本発明の好適な実施形態を説明する。ここにおいて、図１は配送伝票の平面図、図２はその背面図、図３は図１のＡ−Ａ線断面図、図４は同じく図１のＢ−Ｂ線断面図、図５は配送伝票を梱包材に接着した状態を示す断面図、図６は保証ラベル部の剥離状態を示す斜視図、図７は保証書に保証ラベル部を貼着した状態を示す平面図である。
【０００６】
図１〜図４に示すように、配送伝票１は、伝票基材２の裏面に剥離可能な感圧性接着剤３により補助基材４を互いに剥離可能に設け、さらにこの補助基材４の裏面に、粘着剤５を塗布して、これを剥離紙６で被覆している。前記配送伝票１は、伝票基材２にスリット７を設けて、受領証兼配達票８と貼付票９とを区画形成している。また、前記貼付票９の下端に連接して、区画線１０で区画した保証シール１１を設けている。
【０００７】
図１に示すように、受領証兼配達票８の表面には、「配達票」なる標題１２のほか、届け先記入欄１３、依頼主記入欄１４、品名記入欄１５、着店コード記入欄１６、個口数記入欄１７、受領印捺印欄１８を設けている。また、貼付票９の表面には、「貼付票」なる標題１９のほか、届け先記入欄２０、依頼主記入欄２１、受付年月日記入欄２２、個口数記入欄２３、取り扱い会社表示２４を設けている。
【０００８】
さらに、図１、図３及び図４に示すように、保証シール１１には、その表面に「保証シール」という標題２５を設け、伝票基材２と補助基材４を貫通して剥離紙６面にまで達するスリット２６で保証ラベル部２７を分離可能に区画形成している。この保証ラベル部２７の表面には、商品販売会社名２８をあらかじめ印刷する一方、空白部分には追って保証書発行日、すなわち商品販売日を印字するものである。
【０００９】
そして、スリット２６の外側に対応位置して、配送伝票１の一端から延びるコ字状で、カット部が長くタイ部が短いミシン目状の切り込み２９を、前記伝票基材２から前記剥離紙６面に達するよう設けている。この切り込み２９と前記スリット２６に挟まれた部分で、ラベル周辺剥離部３０を形成する。なお、図示していないが、保証シール１１には、表面の適所に、前記保証ラベル部２７の使用方法を説明する説明文を印刷してある。
【００１０】
また、図２〜図４に示すように、剥離紙６には、保証ラベル部２７を含むように、一端側を除いて切り込み２９の内側に位置するスリット３１を設け、ラベル周辺剥離部３０にその一端側を除いて内側に対応位置するラベル保護部６ａを形成している。伝票基材２と補助基材４との重ね合わせ面における、前記ラベル保護部６ａと前記ラベル周辺剥離部３０との対応しない部分、すなわち、図４における右側のスリット３１よりも右側の部分には、図示してはいないがベタ印刷を施して、剥離可能な感圧性接着剤３の接着力をさらに弱めている。したがって、このベタ印刷端から、切り込み２９に沿って前記伝票基材２を補助基材４から捲り上げると、保証ラベル部２６を前記ラベル周辺剥離部３０、前記ラベル保護部６ａとともに分離可能である。
【００１１】
続いて、上述した配送伝票１の使用方法を説明する。まず、受領証兼配達票８と貼付票９の各記入欄１３，１４，１５，１６，１７，２０，２１，２３にそれぞれ所定事項を印字するとともに、保証ラベル部２７の空白部分には保証発行日を印字する（図６，図７参照）。次に、剥離紙６をラベル保護部６ａを除いて補助基材４から剥離し、図５に示すように、露出した粘着剤５で配送品（図示せず）と保証書３３（図７参照）を収納した梱包材３２の適所に貼着する（図６参照）。
【００１２】
この後、通常の配送作業に移るのであるが、受領証兼配達票８は配送作業の途上において、補助基材４から剥離して使用する。届け先記入欄１３，２０に印字記入された届け先に配送品を配達する際には、前記受領証兼配達票８の受領印捺印欄１８に受領印の捺印を受ける。一方、届け先では、図６に示すように、梱包材３２に貼着した保証シール１１から、切り込み２９に沿って、配送伝票１の一端側からラベル周辺剥離部３０に対応する伝票基材２を捲り上げ、保証ラベル部２７を前記ラベル周辺剥離部３０とともに分離する。
【００１３】
この時、ラベル周辺剥離部３０の剥離開始端にはベタ印刷により接着力弱化部分を設けているので、伝票基材２は補助基材４から容易に剥離し、剥離部分がスリット３１に至ると、ラベル周辺剥離部３０は保証ラベル部２７とともに、裏面側にラベル保護部６ａをともなって、保証シール１１から分離するものである。
【００１４】
そして、この分離したラベル周辺剥離部３０からさらに、保証ラベル部２７をスリット２６に沿って捲り上げて、ラベル保護部６ａから剥離し、図７に示すように、梱包材３２内に収納されていた保証書３３の販売店名欄３４に、露出した裏面の粘着剤５によって貼着し、適正な保証書３３としたうえ、この保証書３３を保管するものである。
【００１５】
なお、本発明は上述した実施形態に限定されるものではなく、例えば、保証ラベル部２７に対応する伝票基材２と補助基材４は、剥離可能な感圧性接着剤３でなく、剥離困難な感圧性接着剤を用いて接着してもよい。また、ラベル周辺剥離部３０は、配送伝票１の一側端からコ字状に延びる切り込み２９によって形成したが、これを配送伝票１の一側端から距離をおいた位置で、四角形状に延びる切り込みで形成してもよい。
【００１６】
【発明の効果】
以上説明したように、本願発明の配送伝票によれば、保証書に必要な販売店名、発行年月日を記入するために、配送作業の前段階あるいはその途上において、梱包材内に収納してある保証書を、取り出したり、再度収納するという、煩雑な作業をすることがなく、簡便であるとともに、作業効率も向上するという効果に加えて、保証ラベル部の分離動作が容易であるという効果を奏する。
【図面の簡単な説明】
【図１】第１の実施形態の配送伝票を示す平面図。
【図２】同じく配送伝票の背面図。
【図３】同じく図１のＡ−Ａ線断面図。
【図４】同じく図１のＢ−Ｂ線断面図。
【図５】同じく配送伝票を梱包材に接着した状態を示す断面図。
【図６】同じく保証書ラベル部の剥離状態を示す斜視図。
【図７】同じく保証書に保証書ラベル部を貼着した状態を示す斜視図。
【符号の説明】
１…配送伝票
２…伝票基材
３…剥離可能な感圧性接着剤
４…補助基材
５…粘着剤
６…剥離紙
６ａ…ラベル保護部
８…受領証兼配達票
９…貼付票
１１…保証シール
２６…スリット
２７…保証ラベル部
２９…切り込み
３０…ラベル周辺剥離部
３１…スリット
３３…保証書
【図１】
0003868728.tif 000002
【図２】
0003868728.tif 000003
【図３】
0003868728.tif 000004
【図４】
0003868728.tif 000005
【図５】
0003868728.tif 000006
【図６】
0003868728.tif 000007
【図７】
0003868728.tif 000008